(57)【要約】【課題】携帯型の情報表示装置で表示した情報を、情報表示装置と通信可能に接続された印刷装置で印刷する際に、ユーザの印刷設定作業が容易な情報内容プリントシステムの提供。【解決手段】情報内容プリントシステム１は。情報表示装置１１で表示した文章情報を、情報表示装置１１と通信可能に接続された印刷装置２で印刷するものであって、情報表示装置１１が、表示中の文書情報を記憶する文書情報記憶部１３ａと、当該情報表示装置１１の表示画面に表示されている画面上の表示文字の大きさを示す表示文字サイズ情報を記憶する表示文字サイズ記憶部１３ｂと、を備え、印刷装置２が、情報表示装置１１から受信した表示中の文書情報と表示文字サイズの情報とに基づいて、表示文字の大きさと対応した大きさの印刷文字で且つ用紙に合わせて改行され用紙に合ったレイアウトとなっている印刷画像を生成し印刷する。【選択図】図１
2013090174.tif 000002
【特許請求の範囲】
【請求項１】
情報表示装置で表示した文章情報を、前記情報表示装置と通信可能に接続された印刷装置で印刷する情報内容プリントシステムであって、
前記情報表示装置が、表示中の文書情報を記憶する文書情報記憶部と、当該情報表示装置の表示画面に表示されている画面上の表示文字の大きさを示す表示文字サイズ情報を記憶する表示文字サイズ記憶部と、を備え、
前記印刷装置が、前記情報表示装置から受信した前記表示中の文書情報と前記表示文字サイズの情報とに基づいて、前記表示文字の大きさと対応した大きさの印刷文字で且つ用紙に合わせて改行され用紙に合ったレイアウトとなっている印刷画像を生成し印刷することを特徴とする情報内容プリントシステム。
【請求項２】
前記情報表示装置が、印刷指示を送信するタイミングで前記文書情報と前記表示文字サイズの情報とを前記印刷装置に送信することを特徴とする請求項１に記載の情報内容プリントシステム。
【請求項３】
前記情報表示装置が、
文書情報の表示を開始する際に前記文書情報と前記表示文字サイズの情報とを前記印刷装置に送信し、
前記印刷装置が、
受信した前記文書情報と前記表示文字サイズの情報とに基づいて、印刷指示の入力前に予め印刷画像を生成し、
前記印刷指示が入力された時に、前記情報表示装置に現在表示中の文書情報及び／または前記表示文字サイズに変更がないか否か問い合わせ、変更がない場合は、前記印刷画像を印刷し、変更がある場合は、前記情報表示装置から受信する変更後の前記文書情報及び／または前記表示文字サイズに基づいて印刷画像を再生成して印刷することを特徴とする請求項１に記載の情報内容プリントシステム。
【請求項４】
前記情報表示装置が、
文書情報の表示を開始する際に前記文書情報と前記表示文字サイズの情報とを前記印刷装置に送信し、
前記印刷装置が、
受信した前記文書情報と前記表示文字サイズの情報とに基づいて、印刷指示の入力前に予め印刷画像を生成し、
前記印刷指示が入力されるまでの間、所定のタイミングで、前記情報表示装置に現在表示中の文書情報及び／または前記表示文字サイズに変更がないか否か問い合わせ、変更があれば前記情報表示装置から受信する変更後の前記文書情報及び／または前記表示文字サイズに基づいて印刷画像を再生成しておき、
前記印刷指示が入力された時に、前記予め生成した印刷画像または前記再生成した印刷画像を印刷することを特徴とする請求項１に記載の情報内容プリントシステム。
【請求項５】
前記情報表示装置が、該情報表示装置で現在表示中の文書情報及び／または前記表示文字サイズに変更があった場合に、変更があった方の情報のみ前記印刷装置に送信することを特徴とする請求項３または４に記載の情報内容プリントシステム。
【請求項６】
前記印刷装置が、前記生成した印刷画像のプレビュー画像を生成し表示することを特徴とする請求項１〜５のいずれか１項に記載の情報内容プリントシステム。
【請求項７】
前記印刷装置が、
前記生成した印刷画像のプレビュー画像を生成し表示し、
前記印刷画像が再生成された場合は前記プレビュー画像を再生成し表示することを特徴とする請求項３〜５のいずれか１項に記載の情報内容プリントシステム。
【発明の詳細な説明】
【技術分野】
【０００１】
本発明は、携帯型の情報表示装置で表示した情報を、情報表示装置と通信可能に接続された印刷装置で印刷する情報内容プリントシステムに関する。
【背景技術】
【０００２】
液晶パネル、有機ＥＬ（Electro-Luminescence）パネルなどの表示デバイスを備えた携帯電話機、ＰＤＡ（Personal Digital Assistance；携帯情報端末）、電子ブックリーダ、電子辞書など、記憶されている文章情報を画面上に表示させる情報表示装置は、紙に文章を印刷して表示する従来の情報伝達手段に代わる手段として用いられることがある。情報表示装置は上述のようなものであるが、その利用にあたって最終的には適切な文字サイズで文章情報を紙に印刷することが必要な場合がある。
【０００３】
このような技術に関連し、特許文献１には以下の印刷装置が開示されている。すなわち、特許文献１に開示の印刷装置は、画像に含まれる文字オブジェクトと図形オブジェクトを分離し、ユーザが印刷設定の際に印刷装置と接続されたパーソナルコンピュータで指定したオブジェクトの優先度にしたがい、文字オブジェクトと図形オブジェクトのサイズを調整するもので、文字と図形の大きさをユーザが自由に変更し印刷出力できるようになっている。
【先行技術文献】
【特許文献】
【０００４】
【特許文献１】特開２００９−１９４５６１号公報
【発明の概要】
【発明が解決しようとする課題】
【０００５】
特許文献１のように文書情報の内容をパーソナルコンピュータで確認する場合と異なり、携帯型の情報表示端末では、ユーザにとって最も見やすい文字のサイズが表示画面上の表示文字サイズであるため、印刷文字サイズが表示文字サイズと同じになるようにユーザが印刷設定することが多い。しかし、印刷文字サイズを設定するのはユーザにとって手間となる。特別に印刷設定を行なわなくても表示文字サイズと印刷文字サイズとが同じになることが好ましい。この点に関し、特許文献１には開示も示唆もされていない。
【０００６】
本発明は、上述のような実情を鑑み、携帯型の情報表示装置で表示した情報を、情報表示装置と通信可能に接続された印刷装置で印刷する際に、ユーザの印刷設定作業が容易な情報内容プリントシステムを提供することをその目的とする。
【課題を解決するための手段】
【０００７】
上記課題を解決するために、本発明の第１の技術手段は、情報表示装置で表示した文章情報を、前記情報表示装置と通信可能に接続された印刷装置で印刷する情報内容プリントシステムであって、前記情報表示装置が、表示中の文書情報を記憶する文書情報記憶部と、当該情報表示装置の表示画面に表示されている画面上の表示文字の大きさを示す表示文字サイズ情報を記憶する表示文字サイズ記憶部と、を備え、前記印刷装置が、前記情報表示装置から受信した前記表示中の文書情報と前記表示文字サイズの情報とに基づいて、前記表示文字の大きさと対応した大きさの印刷文字で且つ用紙に合わせて改行され用紙に合ったレイアウトとなっている印刷画像を生成し印刷することを特徴としたものである。
【０００８】
本発明の第２の技術手段は、第１の技術手段において、前記情報表示装置が、印刷指示を送信するタイミングで前記文書情報と前記表示文字サイズの情報とを前記印刷装置に送信することを特徴としたものである。
【０００９】
本発明の第３の技術手段は、第１の技術手段において、前記情報表示装置が、文書情報の表示を開始する際に前記文書情報と前記表示文字サイズの情報とを前記印刷装置に送信し、前記印刷装置が、受信した前記文書情報と前記表示文字サイズの情報とに基づいて、印刷指示の入力前に予め印刷画像を生成し、前記印刷指示が入力された時に、前記情報表示装置に現在表示中の文書情報及び／または前記表示文字サイズに変更がないか否か問い合わせ、変更がない場合は、前記印刷画像を印刷し、変更がある場合は、前記情報表示装置から受信する変更後の前記文書情報及び／または前記表示文字サイズに基づいて印刷画像を再生成して印刷することを特徴としたものである。
【００１０】
本発明の第４の技術手段は、第１の技術手段において、前記情報表示装置が、文書情報の表示を開始する際に前記文書情報と前記表示文字サイズの情報とを前記印刷装置に送信し、前記印刷装置が、受信した前記文書情報と前記表示文字サイズの情報とに基づいて、印刷指示の入力前に予め印刷画像を生成し、前記印刷指示が入力されるまでの間、所定のタイミングで、前記情報表示装置に現在表示中の文書情報及び／または前記表示文字サイズに変更がないか否か問い合わせ、変更があれば前記情報表示装置から受信する変更後の前記文書情報及び／または前記表示文字サイズに基づいて印刷画像を再生成しておき、前記印刷指示が入力された時に、前記予め生成した印刷画像または前記再生成した印刷画像を印刷することを特徴としたものである。
【００１１】
本発明の第５の技術手段は、第３または第４の技術手段において、前記情報表示装置が、該情報表示装置で現在表示中の文書情報及び／または前記表示文字サイズに変更があった場合に、変更があった方の情報のみ前記印刷装置に送信することを特徴としたものである。
【００１２】
本発明の第６の技術手段は、第１〜第５のいずれか１の技術手段において、前記印刷装置が、前記生成した印刷画像のプレビュー画像を生成し表示することを特徴としたものである。
【００１３】
本発明の第７の技術手段は、第３〜第５のいずれか１の技術手段において、前記印刷装置が、前記生成した印刷画像のプレビュー画像を生成し表示し、前記印刷画像が再生成された場合は前記プレビュー画像を再生成し表示することを特徴としたものである。
【発明の効果】
【００１４】
本発明によれば、印刷装置が、携帯型の情報表示装置から受信した該表示装置の表示画面上の表示文字サイズの情報に基づいて該表示文字サイズと同じ文字サイズで印刷を行なうので、ユーザが印刷文字サイズについての設定をしなくても、情報表示装置での表示文字サイズと同じ文字サイズの印刷結果が得ることができる。
【図面の簡単な説明】
【００１５】
【図１】本発明の情報内容プリントシステムの一例を説明するブロック図である。
【図２】図１の複合機におけるタッチパネル及びキー操作部の一例を示す外観図である。
【図３】図１の情報表示装置と複合機の処理の一例を説明するフローチャートである。
【図４】図１の情報表示装置の表示部に表示される画像と複合機による印刷結果の一例を示す図である。
【図５】図１の情報表示装置の表示部に表示される画像と複合機による印刷結果の他の例を示す図である。
【図６】図１の情報表示装置と複合機の処理の他の例を説明するフローチャートである。
【図７】本発明の情報内容プリントシステムの他の例を説明するブロック図である。
【図８】プレビュー表示時に表示される画面の例を示す図である。
【図９】図７の情報表示装置と複合機の処理の一例を説明するフローチャートである。
【発明を実施するための形態】
【００１６】
図１は、本発明の情報内容プリントシステムの一例を説明するブロック図である。図２は、図１の複合機におけるタッチパネル及びキー操作部の一例を示す外観図である。
図１の情報内容プリントシステム１は、携帯型の情報表示装置１１で表示した情報を、情報表示装置１１と通信可能に接続された印刷装置２で印刷するものである。
【００１７】
情報表示装置１１は、例えば電子ブックリーダや電子辞書であり、制御部１２とバスを介して、記憶部１３と、操作部１４と、表示部１５と、通信部１６とが接続されて構成されている。
制御部１２は、ＣＰＵ（Central Processing Unit）等により構成され、記憶部１３に記憶されている各種プログラムを読み出し、実行することにより、複合機２の各種動作及び制御を行う。
【００１８】
操作部１４は、表示部１５に表示する情報を選択するための操作、表示部１５に表示している情報の印刷処理を指示する操作等を受け付けるもので、例えば、テンキー等のキー群やタッチパネルから成る。
【００１９】
表示部１５は、記憶部１３に記憶されている文書情報を表示するものであり、例えば、液晶ディスプレイ装置から成る。
【００２０】
記憶部１３は、情報表示装置１１を動作させるための各種データやプログラムなどを記憶するものであり、例えば、ＲＯＭ（Read Only Memory）やＲＡＭ（Random Access Memory）から成る。制御部１２は、記憶部１３に記憶されている制御プログラムを読み出して実行することにより、制御処理を実行する。また、記憶部１３は、表示部１５に表示する文書情報を記憶する文書情報記憶部１３ａと、表示部１５に文書情報を表示する際の表示画面上の表示文字の大きさすなわち表示文字サイズを示す表示文字サイズ情報を記憶する表示文字サイズ記憶部１３ｂと、を有する。
通信部１６は、Bluetooth（登録商標）通信や赤外線通信により、印刷装置２と通信を行うためのものである。
【００２１】
印刷装置２は、原稿の画像を読み取って記録用紙に印刷する複写モード、原稿の画像を読み取って送信したり、原稿の画像を受信して記録用紙に印刷したりするファクシミリモード及び情報端末装置からネットワークを通じて受信した画像を記録用紙に印刷するプリンタモード等を選択的に行うことができる複合機である。この印刷装置（複合機）２は、プリントモード時の動作に特徴があるので、プリントモードに関わる機能ブロックのみ図示し、その他のモードについての説明は省略する。
【００２２】
複合機２は、制御部３とバスを介して、画像メモリ４と、画像印刷部５と、後処理装置６と、タッチパネル７、キー操作部８、通信部９と、記憶部１０とが接続されて構成されている。
【００２３】
制御部３は、記憶部１０に記憶されている各種プログラムを読み出し、実行することにより、複合機２の各種動作及び制御を行う。
【００２４】
画像メモリ４は、画像印刷部で印刷する画像を記憶する。
【００２５】
画像印刷部５は、画像メモリ４から入力された画像に基づいて、画像を形成し、記録紙に印刷するものであり、印刷方式には、例えば、電子写真方式が用いられる。
【００２６】
後処理装置６は、画像印刷部５により印刷された記録紙に対して後処理を実行するための装置であり、例えば、指定された位置に穴を開けるパンチ処理や、ステープルにより記録紙を閉じるステープル処理等を実行する。
【００２７】
タッチパネル７及びキー操作部８は、各種処理を実行する際に必要となる設定を行うための操作（選択操作又は入力操作）等を受け付ける。タッチパネル７及びキー操作部８は、図２で例示するような操作パネルＰとして構成してもよい。キー操作部８は、原稿読込開始等の指示を受付けるスタートキーＰａ、テンキーＰｂ等、操作するために必要なキー群を備えている。
タッチパネル７は、液晶ディスプレイ等の表示部とタッチセンサ等の操作受付部として機能する。
【００２８】
通信部９は、Bluetooth（登録商標）通信や赤外線通信により、情報表示装置１１と通信を行うためのものである。
記憶部１０は、複合機２を動作させる為の各種データやプログラムなどを記憶する。制御部３は、記憶部１０に記憶されている制御プログラムを読み出して実行することにより、制御処理を実行する。
【００２９】
以下、図３乃至図５を参照して、上述の情報内容プリントシステム１において、情報表示装置１１の文書情報記憶部１３ａに記憶されていた文書情報を情報表示装置１１の表示部１５に表示し複合機２の画像印刷部５で印刷する際に、情報表示装置１１の表示部１５に表示される画面の例と、複合機２による印刷結果の例とを、その時の情報表示装置１１と複合機２の処理と共に説明する。なお、情報表示装置１１では、「特大」「大」「通常」「小」の４種類の表示文字サイズで文書情報を表示することが可能であるものとし、文書情報としては「昔々ある所におじいさんとおばあさんが住んでいました。おじいさんは山にしばかり…」という情報が表示・印刷対象として選択されたものとする。
【００３０】
図３は、情報内容プリントシステム１の情報表示装置１１と複合機２の処理例を説明するフローチャートである。
図４（Ａ）は、表示文字サイズ「大」の際に情報表示装置１１の表示部１５に表示される画像の例を示し、図４（Ｂ）は、図４（Ａ）の画面が表示された時に複合機２による印刷結果の例を示す図である。
図５（Ａ）は、表示文字サイズ「通常」の際に情報表示装置１１の表示部１５に表示される画像の例を示し、図５（Ｂ）は、図５（Ａ）の画面が表示された時に複合機２による印刷結果の例を示す図である。
【００３１】
情報表示装置１１では、文書情報の表示の指示をユーザから操作部１４を介して受け付けると、文書情報記憶部１３ａに記憶の表示対象の文書情報と、表示文字サイズ記憶部１３ｂに記憶されている表示文字サイズの情報と、に基づいて、現在設定されている表示文字サイズの文字を用いて当該装置１の画面に合ったレイアウトの画像をページ毎に生成し、選択されたページの画像を表示部１５に表示する（ステップＳ１）。この各ページの画像は、画面の大きさに合わせて改行され画面に合った文章レイアウトとなっている。
【００３２】
例えば、表示文字サイズ「大」が設定され表示文字サイズ記憶部１３ｂに記憶されている場合、情報表示装置１１は、１ページ目の表示が選択されると、例えば図４（Ａ）の画像Ａ１のような「昔々あ」「る所に」という各列３文字で２行の画像を表示し、一方、２ページ目の表示が選択されると、図４（Ｂ）の画像Ａ２のような「おじい」「さんと」という各列３文字で２行の画像を表示する。
【００３３】
また、例えば、表示文字サイズ「普通」が設定され表示文字サイズ記憶部１３ｂに記憶されている場合、情報表示装置１１は、１ページ目の表示が選択されると、例えば図４（Ａ）の画像Ａ３のような「昔々ある」「所におじ」「いさんと」という各列４文字で３行の画像を表示し、一方、２ページ目の表示が選択されると、図４（Ｂ）の画像Ａ４のような「おばあさ」「んが住ん」「でいまし」という各列４文字で３行の画像を表示する。
【００３４】
このような表示を行なっている状態で、表示している文書情報の印刷指示をユーザから操作部１４を介して受け付けると、情報表示装置１１は、現在表示している文書情報と、表示中の文章の表示文字サイズの情報を複合機２に送信する（ステップＳ２）。
そして、複合機２では、受信した文書情報及び表示文字サイズの情報と、複合機２に予め設定されている用紙のサイズの情報とに基づいて、情報表示装置１１での表示文字と同じ大きさの印刷文字で且つ用紙に合わせて改行され用紙に合ったレイアウトとなっている印刷画像を生成し画像メモリ４に記憶し（ステップＳ３）、画像印刷部５で印刷する（ステップＳ４）。
【００３５】
このような処理を行なうことで、情報内容プリントシステム１では、表示文字サイズ「大」で表示されている図４（Ａ）の画像Ａ１（Ａ２）をユーザが閲覧して印刷を指示した時に、当該画像Ａ１（Ａ２）での文字サイズと同じ文字サイズで印字され且つ文字サイズに合わせて改行された図４（Ｂ）に示すような印刷結果Ｂ１，Ｂ２が得られる。また、表示文字サイズ「大」より小さい表示文字サイズ「通常」で表示されている図５（Ａ）の画像Ａ３（Ａ４）をユーザが閲覧して印刷を指示した時には、画像Ａ１（Ａ２）での文字サイズより小さく画像Ａ３（Ａ４）での文字サイズと同じ文字サイズで印字され且つ文字サイズに合わせて改行された図４（Ｂ）に示すような印刷結果Ｂ３，Ｂ４が得られる。
【００３６】
このように、情報内容プリントシステム１では、ユーザが印刷文字サイズについての設定をしなくても、情報表示装置１１での表示文字サイズと同じ文字サイズの印刷結果を得ることができる。
【００３７】
上述の例では、印刷実行指示を受け付けた時に、情報表示装置１１から表示文字サイズ情報等を複合機２に送信する例であるが、情報表示装置１１での文章情報の表示を開始した際に、表示文字サイズ情報等を送信するようにしてもよい。
【００３８】
図６は、情報表示装置１１での文章情報の表示を開始した際に、表示文字サイズ情報等を送信する場合の情報内容プリントシステム１の情報表示装置１１と複合機２の処理例を説明するフローチャートである。図３と同様の処理については同じステップ番号を付すことによりその説明を簡略化する。
【００３９】
図６の例では、情報表示装置１が、文書情報の表示の指示をユーザから操作部１４を介して受け付けると、文書情報記憶部１３ａに記憶の表示対象の文書情報と、表示文字サイズ記憶部１３ｂに記憶されている表示文字サイズの情報と、に基づいて、現在設定されている表示文字サイズの文字を用いて、当該装置１の画面に合ったレイアウトの画像をページ毎に生成し、選択されたページの画像を表示部１５に表示すると共に、現在表示している文書情報と、表示中の文章の表示文字サイズの情報を複合機２に送信する（ステップＳ１１）。
【００４０】
そして、複合機２では、受信した情報に基づいて、情報表示装置１１での表示文字と同じ大きさの印刷文字で且つ用紙に合わせて改行され用紙に合ったレイアウトとなっている印刷画像を生成し画像メモリ４に記憶し（ステップＳ３）、ステップＳ１２に移行する。
ステップＳ１２では、複合機２が、操作パネルＰまたは情報表示装置１を介してユーザから印刷実行指示があったか否か判定し、印刷実行指示がない場合（ＮＯの場合）は、ステップＳ１２に戻る。一方、印刷実行指示があった場合（ＹＥＳの場合）は、複合機２が、情報表示装置１１での表示対象の文書情報及び／または表示文字サイズの情報に変更がないか確認するために、情報表示装置１１における現在の表示対象の文書情報及び表示文字サイズの情報の送信を情報表示装置１１に要求する（ステップＳ１３）。
【００４１】
それに対し、情報表示装置１１は、文字情報記憶部１３ａと表示文字サイズ記憶部１３ｂを参照し、現在の表示対象の文書情報及び表示文字サイズを情報表示装置１１に送信する（ステップＳ１４）。なお、この際、表示対象の文書情報及び表示文字サイズに当初から変更がなければ、変更がない旨を示す情報を送信し、いずれか一方が変更された場合は、変更された方の情報を送信することが好ましい。これは、変更点のみ送信することで、通信時間短縮と通信データの削減が可能となるからである。
【００４２】
そして、複合機２では、受信した情報に基づいて、情報表示装置１１での表示対象の文書情報及び／または表示文字サイズの情報に変更があったか判定する（ステップＳ１５）。
ステップＳ１５において、変更がない場合（ＮＯの場合）は、ステップＳ４へ移行し、複合機２が画像メモリ４に記憶の印刷画像を画像印刷部５で印刷し、変更がある場合（ＹＥＳの場合）は、複合機２が、変更された印刷対象の文書情報及び／または表示文字サイズ情報に基づいて、現在の情報表示装置１１での表示文字と同じ大きさの印刷文字で且つ用紙に合わせて改行され用紙に合ったレイアウトとなっている印刷画像を再生成し画像メモリ４に記憶の印刷画像を上書きし（ステップＳ１６）、画像印刷部５で印刷する（ステップＳ４）。
【００４３】
このような構成により、印刷対象の文書情報及び／または表示文字サイズの情報に変更がない場合には、早く印刷結果を得ることができる。
また、上述の例とは異なり、印刷実行指示がある前に、ステップＳ１３〜ステップＳ１６に相当する処理を一定期間毎に行なうようにしてもよい。
【００４４】
上述の例は、複合機２の用紙のサイズや向きが予め定められていたが、ユーザが複合機２において用紙のサイズや向きが変更可能な場合でも本発明を適用できる。
【００４５】
図７は、本発明の情報内容プリントシステムの他の例を説明するブロック図である。図７において、図１の情報内容プリントシステム１と同じ構成要素については同じ参照符号を付すことによりその説明を省略する。
図７の情報内容プリントシステム１´は、図１の情報内容プリントシステム１と異なり、複合機２０が、バスを介して、制御部３とプレビュー画像生成部２１及びプレビュー画像メモリ２２とが接続されている。
【００４６】
プレビュー画像生成部２１は、画像メモリ４に記憶されている印刷画像からプレビュー画像を生成し、プレビュー画像メモリ２２に出力する機能部である。そして、プレビュー画像メモリ２２に記憶されたプレビュー画像は、タッチパネル７の表示部に出力（表示）される。
【００４７】
図８は、プレビュー表示時に表示される画面の例を示す図である。
図のＧＵＩ画像３０は、プレビュー表示画面であり、動作状態メッセージ３１として、「プレビュー表示」を行っていることを表示している。また、ＧＵＩ画像３０は、文書画像のプレビュー画像３２をＧＵＩ画像に組み込んで表示している。
【００４８】
ＧＵＩ画像３０には、拡大／縮小キー３３、表示の回転キー３４等が表示されており、ユーザはこれらを適宜操作することによって、プレビュー画像３２を拡大／縮小或いは回転させて確認することができる。
【００４９】
ＧＵＩ画像３０には、さらに、コピー開始キー４９が表示されており、ユーザがこのコピー開始キー３５を操作したり、情報表示装置１１の操作部の所定のキーを操作したりすることによって、プレビュー画像３２に対応する印刷画像が印刷される。
【００５０】
図９は、図７の情報内容プリントシステム１´の情報表示装置１１と複合機２０の処理例を説明するフローチャートである。図６と同様の処理については同じステップ番号を付すことによりその説明を簡略化／省略化する。
【００５１】
図９の例では、ステップＳ３において、複合機２´が、情報表示装置１１での表示文字と同じ大きさの印刷文字で且つ用紙に合わせて改行され用紙に合ったレイアウトとなっている印刷画像を生成し画像メモリ４に記憶し、ステップＳ３１に移行する。ステップＳ３１では複合機２０のプレビュー画像生成部２１が、画像メモリ４に記憶されている印刷画像からプレビュー画像を生成し、プレビュー画像メモリ２２に記憶すると共に、タッチパネル７の表示部に表示し（ステップＳ３１）、ステップＳ３２に移行する。
【００５２】
ステップＳ３２では、複合機２０が、操作パネルＰまたは情報表示装置１を介してユーザから印刷実行指示があったか否か判定し、印刷実行指示があった場合（ＮＯの場合）は、ステップＳ４に移行し、複合機２０が画像メモリ４に記憶の印刷画像を画像印刷部５で印刷し、一方、印刷実行指示がなかった場合（ＹＥＳの場合）は、複合機２０が、情報表示装置１１での表示対象の文書情報及び／または表示文字サイズの情報に変更がないか確認するために、情報表示装置１１における現在の表示対象の文書情報及び表示文字サイズの情報の送信を情報表示装置１１に要求する（ステップＳ１３）。
【００５３】
それに対し、情報表示装置１１は、文字情報記憶部１３ａと表示文字サイズ記憶部１３ｂを参照し、現在の表示対象の文書情報及び表示文字サイズを情報表示装置１１に送信する（ステップＳ１４）。
【００５４】
そして、複合機２０では、受信した情報に基づいて、情報表示装置１１での表示対象の文書情報及び／または表示文字サイズの情報に変更があったか判定し（ステップＳ１５）、変更がない場合（ＮＯの場合）は、ステップＳ３２に移行し、変更があった場合（ＹＥＳの場合）は、ステップＳ３３に移行する。
【００５５】
ステップＳ３３では、変更された印刷対象の文書情報及び／または表示文字サイズ情報に基づいて、現在の情報表示装置１１での表示文字と同じ大きさの印刷文字で且つ用紙に合わせて改行され用紙に合ったレイアウトとなっている印刷画像を再生成し画像メモリ４に記憶の印刷画像を上書きする。さらに、複合機２において、プレビュー画像生成部２１が、画像メモリ４に記憶されている再生成された印刷画像からプレビュー画像を再生成し、プレビュー画像メモリ２２に記憶すると共に、タッチパネル７の表示部に表示する。このようなステップＳ３４の後に、ステップＳ３２に戻る。
【００５６】
このようなプレビュー表示を行なうことにより、印刷実行前に仕上がりを確認できるので、無駄な印刷を防止できる。また、リアルタイムに更新内容が確認できるので、ユーザの利便性が向上する。
【符号の説明】
【００５７】
１，１´…情報内容プリントシステム、２，２０…複合機、１１…情報表示装置、１３…記憶部、１３ａ…文書情報記憶部、１３ｂ…表示文字サイズ記憶部、２１…プレビュー画像生成部。
【図１】
2013090174.tif 000003
【図２】
2013090174.tif 000004
【図３】
2013090174.tif 000005
【図４】
2013090174.tif 000006
【図５】
2013090174.tif 000007
【図６】
2013090174.tif 000008
【図７】
2013090174.tif 000009
【図８】
2013090174.tif 000010
【図９】
2013090174.tif 000011